(57)【要約】  【課題】ラックからミキサーを引き出した場合に、ミキサーを操作する時に手を置くためのテーブルを提供する。  【解決手段】側板１ａおよび１ｂがラックのフレームに対して固定される。側板１ａ、１ｂの対向する面に取り付けられたレールによって、スライド自在にトレイ４が支持される。トレイ４上にミキサー２１が載置される。トレイ４の両側に設けられた取付け板５ａ、５ｂに対してテーブル６が取り付けられる。つまみネジ７ａ〜８ｂによってテーブル６が取付け板５ａ，５ｂに固定される。取付け板５ａ，５ｂに形成された長孔、並びにテーブル６の脚部をつまみネジ７ａ〜８ｂが貫通することによって、テーブル６がトレイ４に取り付けられる。ミキサーをラックから引き出した後に、つまみネジ７ａ，７ｂ，８ａ，８ｂが緩められ、テーブル６が前に引き出される。【選択図】図１
2010267824.tif 000002
【特許請求の範囲】
【請求項１】
前後にスライド自在にフレームに支持されたトレイと、
前記トレイの両側に設けられた第１および第２の取付け板と、
前記第１および第２の取付け板によって支持されることによって、前記トレイに載置されたミキサーの操作エリアの上部の空間内に収納され、
前記トレイが前方に引き出された状態で、前記操作エリアとテーブル天板とがほぼ等しい高さとなる使用状態とされるテーブルと
を備えるミキサー用ラック。
【請求項２】
前記テーブルは、テーブル天板と該テーブル天板の両側に設けられた第１および第２の脚部とを有し、
前記第１および第２の脚部が前記第１および第２の取付け板にそれぞれ固定される請求項１に記載のミキサー用ラック。
【請求項３】
前記第１および第２の取付け板に、水平部および該水平部に連続して下方に向う垂直部からなる長孔がそれぞれ形成され、
前記長孔によって前記テーブルの移動が案内され、
前記テーブルが収納状態では、前記第１および第２の脚部に取り付けられた突起が前記水平部に位置し、
前記トレイが引き出された状態では、前記第１および第２の脚部に取り付けられた突起が前記垂直部に位置する請求項２に記載のミキサー用ラック。
【請求項４】
前記長孔および前記突起を複数有する請求項３に記載のミキサー用ラック。
【発明の詳細な説明】
【技術分野】
【０００１】
この発明は、例えば中継車内に設置されるミキサー用ラックに関する。
【背景技術】
【０００２】
放送局のスタジオで使用する機器を収納するためにラックが使用される。ラックのサイズに関しては、米国の電子工業会（ＥＩＡ(Electronic industries Alliance)）によって標準化されている。ラックに収納される電子機器（ラックマウント機器と呼ばれる）もかかる規格に対応するサイズを有するものとされている。ＥＩＡの規格では、幅１９インチ（４８２．６mm）で、１Ｕ（４４．４５mm）単位で高さが規定されている。
【０００３】
図６に概略的に示すように、ラック３１は、箱状のフレームと、フレームに対して、前後に引き出し可能に取り付けられたトレイ３２ａ、３２ｂ、３２ｃとを有する。各トレイの上部の開口の高さが１Ｕ単位で規定されている。例えば音声に関する電子機器として、上からＣＤ（コンパクトディスク）プレーヤ３３、ＤＳＰユニット３４、ミキサー３５がトレイ３２ａ、３２ｂ、３２ｃ上にそれぞれ載置されている。
【０００４】
ミキサー３５は、ＣＤプレーヤ３３、ＤＳＰユニット３４と異なり、ラックに収納された状態で前面から操作することができない。ミキサー３５を操作するためのセレクタ、スイッチ、フェーダーは、平面上に配置されており、ラックから引き出した状態でないと操作することが難しい問題があった。さらに、ミキサー３５の奥に設置されているメーター例えばＶＵメーター３６を見る目的のためにも、ミキサー３５を前に引き出す必要があった。
【０００５】
さらに、図７に示すように、中継車３７の車内に複数のラック３８ａ，３８ｂ，３８ｃ，３８ｄが配置されている。ラックの前面同士が向き合うように、ラック３８ａ〜３８ｄが配置されるので、ミキサー３５を常に手前に引き出した状態とすると、中継車３７内の人の移動が妨げられる問題があった。したがって、操作が必要な時のみミキサー３５が手前に引き出される。
【０００６】
ラックに収納されるミキサー３５は、小型、且つポータブルなものが使用される。ミキサー３５を手前に引き出して操作する場合に、小型なために操作者の手を置くテーブルが無いため、操作しにくかったり、操作者が疲れる問題があった。
【０００７】
従来、特許文献１に記載されているように、ＣＲＴが載置される収容部にキーボードを収容し、キーボードを引き出した時に、ダストカバーに手を置く構造が知られている。
【０００８】
さらに、特許文献２には、ノート型パーソナルコンピュータをプリンタ上に載置し、プリンタの手前側の端面にノート型パーソナルコンピュータのキーボード操作時に操作者の手を安定させるための手置き部を外方向に突出させて設けることが記載されている。
【先行技術文献】
【特許文献】
【０００９】
【特許文献１】特開平０１−５００６９９号公報
【特許文献２】特開平０６−０５９７８９号公報
【発明の概要】
【発明が解決しようとする課題】
【００１０】
特許文献１に記載の構造は、開口部を覆うダストカバーを回転させて手置き台とするものであり、前面が開放されているラックに対して適用することができないものであった。特許文献２に記載の構造は、常に手置き部を外方向に突出させて設けるので、上述したように、中継車の車内のように狭い空間に設置するのには、不都合な構成であった。
【００１１】
したがって、この発明の目的は、限られた高さのスペースに外方向に突出することなく、手を置くためのテーブルを収納することができるミキサー用ラックを提供することにある。
【課題を解決するための手段】
【００１２】
上述した課題を解決するために、この発明は、前後にスライド自在にフレームに支持されたトレイと、
トレイの両側に設けられた第１および第２の取付け板と、
第１および第２の取付け板によって支持されることによって、トレイに載置されたミキサーの操作エリアの上部の空間内に収納され、
トレイが前方に引き出された状態で、操作エリアとテーブル天板とがほぼ等しい高さとなる使用状態とされるテーブルと
を備えるミキサー用ラックである。
【００１３】
好ましくは、この発明は、テーブルは、テーブル天板と該テーブル天板の両側に設けられた第１および第２の脚部とを有し、第１および第２の脚部が第１および第２の取付け板にそれぞれ固定される。
さらに、第１および第２の取付け板に、水平部および該水平部に連続して下方に向う垂直部からなる長孔がそれぞれ形成され、長孔によってテーブルの移動が案内され、テーブルが収納状態では、第１および第２の脚部に取り付けられた突起が水平部に位置し、トレイが引き出された状態では、第１および第２の脚部に取り付けられた突起が垂直部に位置する。
【発明の効果】
【００１４】
トレイ内のスペースを利用し、ミキサーの収納を妨げないように、テーブルを設けることができる。ミキサーをトレイから引き出した時に、テーブルに手を置いてフェーダーを操作することができ、操作性の向上、および疲労の防止を図ることができる。さらに、トレイから外方向にテーブルが突出しないので、中継車内のように、限られた空間にラックを配置した場合に、テーブルが邪魔となることがない。
【図面の簡単な説明】
【００１５】
【図１】この発明の一実施の形態におけるミキサー収納状態の平面図、正面図、側面図である。
【図２】この発明の一実施の形態におけるミキサー使用状態の平面図、正面図、側面図である。
【図３】この発明の一実施の形態におけるテーブルの平面図、ｂ−ｂ’線断面図、および取付け板の側面図である。
【図４】この発明の一実施の形態の動作を説明するための斜視図である。
【図５】この発明の一実施の形態の動作を説明するための斜視図である。
【図６】従来のラックを説明するための略線図である。
【図７】従来のラックの使用状態を説明するための略線図である。
【００１６】
以下、この発明の実施の形態について説明する。説明は、以下の順序で行う。
＜１．第１の実施の形態＞
＜２．変形例＞
なお、以下に説明する実施の形態は、この発明の好適な具体例であり、技術的に好ましい種々の限定が付されているが、この発明の範囲は、以下の説明において、特にこの発明を限定する旨の記載がない限り、これらの実施の形態に限定されないものとする。
【００１７】
＜１．第１の実施の形態＞
「ミキサーの収納状態」
図１は、この発明の一実施の形態において、トレイにミキサーを載置した状態を示す。トレイのスライド方向に平行に側板１ａおよび１ｂがラックのフレーム（図示しない）に対して固定される。背面側においては、ラック背面固定金具２ａおよび２ｂが使用される。側板１ａおよび１ｂの高さが例えばＥＩＡの規格の４Ｕ（約１８０mm）に設定されている。
【００１８】
側板１ａ、１ｂの対向する面には、レール（固定側）３ａ、３ｂがそれぞれ設けられている。高さ方向において、レール３ａ、３ｂの設置位置が等しくされている。ラックのフレームに対して、ラック背面固定金具２ａおよび２ｂ、レール（固定側）３ａ、３ｂを有する側板１ａおよび１ｂが固定される。一方、板状のトレイ４の両側面にレール（可動側）が取り付けられており、レール３ａ、３ｂにレール（可動側）が係合されることによって、スライド自在にトレイ４が支持される。トレイ４上にミキサー２１が載置される。
【００１９】
ミキサー２１は、既存の音声調整装置と同様に、複数チャンネル例えば８チャンネルのマイクまたはライン入力端子、ミキシング後の信号の出力端子、モニター出力端子、録音出力端子等が設けられている。ラックに収納された状態でもっとも奥側にＶＵメーター２２および２３が傾斜して配置されている。メーター設置部の手前にチャンネルコントロール部およびマスターコントロール部が設けられている。
【００２０】
チャンネルコントロール部およびマスターコントロール部は、回転つまみおよび表示部エリア２４、フェーダエリア２５等からなる。回転つまみおよび表示部エリア２４は、入力の切り替えつまみ、入力レベルの切り替えつまみ、低音域、中音域、高音域の各音域の周波数特性の可変用つまみ、出力レベルの調整つまみ、ＶＵメータに表示する信号の選択用つまみ等が含まれる。
【００２１】
フェーダエリア２５のフェーダは、送り出す信号の出力レベルを調整する。フェーダは、つまみをスライドさせることによって、出力信号のレベルを調整できる。スライド範囲の途中の位置が基準レベルに対応する。さらに、ミキサー２１を手前に引き出したり、ミキサー２１を運ぶためのハンドル２６が設けられている。
【００２２】
「トレイに対するテーブルの取付け」
トレイ４の前面の端部の近傍において、トレイ４の両側に設けられた取付け板５ａおよび５ｂに対してテーブル６が取り付けられる。つまみネジ７ａ，７ｂ，８ａ，８ｂによってテーブル６が取付け板５ａ，５ｂに固定される。つまみネジ７ａ，７ｂ，８ａ，８ｂの代わりに突起を設けても良い。
【００２３】
図３Ａおよび図３Ｂ（図３Ａのｂ−ｂ’線断面図）に示すように、テーブル６は、テーブル天板９と、テーブル天板９の両側に設けられ、フレームに取り付けられた場合に奥側に向って平行に延びる脚部１０ａおよび１０ｂとを有する。テーブル６は、例えば金属板を加工したものである。脚部１０ａには、図３Ｂに示すように、つまみネジ７ａおよび７ｂがそれぞれ通る孔１１ａおよび１１ｂが形成されている。孔１１ａおよび１１ｂは、高さ方向および奥行き方向の両方において、ずれた位置に形成されている。他方の脚部１０ｂに対しても同様につまみネジ８ａおよび８ｂがそれぞれ通る孔が形成されている。
【００２４】
図３Ｃに示すように、取付け板５ａに対してスライド方向に延びる水平部と、水平部から直角に下側に延びる垂直部とを有する長孔１２ａおよび１２ｂとが形成されている。長孔１２ａの水平部の後側の端部の位置は、トレイ４が収納状態（図１の状態）でテーブル６の脚部１０ａに形成された孔１１ａの位置とほぼ一致する。長孔１２ｂの水平部の後側の端部の位置は、トレイ４が収納状態（図１の状態）でテーブル６の脚部１０ａに形成された孔１１ｂの位置とほぼ一致する。他方の取付け板５ｂに対しても同様に、２つの長孔が形成されている。
【００２５】
取付け板５ａの長孔１２ａ，１２ｂと、テーブル６の脚部１０ａの孔１１ａ，１１ｂとをつまみネジ７ａ，７ｂが外側から貫通し、つまみネジ７ａ，７ｂが締めつけられる。同様に、取付け板５ｂの長孔と、テーブル６の脚部１０ｂの孔とをつまみネジ８ａ，８ｂが外側から貫通し、つまみネジ８ａ，８ｂが締めつけられる。このように、テーブル６がトレイ４と一体に移動するように、トレイ４に対して取り付けられる。
【００２６】
ミキサーをラックから引き出した後に、つまみネジ７ａ，７ｂ，８ａ，８ｂが緩められ、テーブル６が前に引き出される。つまみネジ７ａ，７ｂ，８ａ，８ｂが長孔１２ａ，１２ｂの水平部および脚部１０ｂに設けられた長孔の水平部によって案内される。さらに、つまみネジ７ａ，７ｂ，８ａ，８ｂが長孔の垂直部によって案内されて下がる。垂直部の下端につまみネジ７ａ，７ｂ，８ａ，８ｂが位置する使用状態の位置で、これらのつまみネジが締め付けられる。テーブル６の上に手を置いてミキサー２１が操作される。
【００２７】
「ミキサーを引き出した状態」
ハンドル２６を持って手前にミキサー２１を引き出すことができる。トレイ４に取り付けられているテーブル６も手前に引き出される。図２は、ミキサー２１を操作のために引き出した状態を示している。この例では、ラックからフェーダーエリア２５が露呈する状態までミキサー２１が引き出される。ミキサー２１を引き出すことが可能な位置は、レール３ａ，３ｂに関連して設けられるストッパー（図示しない）によって規定することが可能である。例えばフェーダーエリア２５のみならず、回転つまみおよび表示部エリア２４も露呈する位置まで、ミキサー２１を引き出すことを可能としても良い。
【００２８】
規定の位置までミキサー２１を引き出してからつまみネジ７ａ，７ｂ，８ａ，８ｂが緩められ、テーブル６が前方に引き出され、さらに、下方に下げられる。そして、つまみネジ７ａ，７ｂ，８ａ，８ｂが締めつけられ、テーブル６が規定の位置に固定される。図２に示すように、固定後では、テーブル６のテーブル天板の上面と、ミキサー２１の操作パネル面（フェーダーエリア２５の面）とがほぼ同じ高さとなる。さらに、テーブル６の脚部が２箇所でつまみネジ７ａ，７ｂ，８ａ，８ｂによって固定されるので、テーブル６の支持を安定したものとできる。したがって、テーブル６に手を置いてフェーダーエリア２５のつまみを操作することが容易となり、しかも、疲労を防止することができる。
【００２９】
「ミキサー引き出し時の動作」
上述したこの発明の一実施の形態において、ミキサー２１を引き出す時の動作について図４および図５を参照して説明する。なお、図４および図５において、ミキサー２１に付属するＶＵメーター２２，２３、回転つまみおよび表示部エリア２４の詳細、フェーダーエリア２５の詳細、スイッチ等については、それらの図示が省略されている。
【００３０】
図４Ａは、ミキサー２１がラック内に収納された状態を示す。テーブル６が収納状態にある。ミキサー２１をラックのトレイ４上に載置する場合に、テーブル６を取り外しても良い。但し、ラックの高さ方向に余裕がある場合には、テーブル６を取り付けた状態でミキサー２１をスライドさせて収納しても良い。
【００３１】
図４Ｂに示すように、ミキサー２１が規定位置例えばフェーダーエリア２５が露呈する位置まで引き出される。この段階では、テーブル６が収納状態である。すなわち、つまみネジ７ａ，７ｂが長孔１２ａ，１２ｂの水平部の奥側の端部に位置している。つまみネジ８ａ，８ｂが他方の取付け板５ｂに形成された長孔１２ａ，１２ｂの水平部の奥側の端部に位置している。
【００３２】
つまみネジ７ａ，７ｂ，８ａ，８ｂが緩められ、テーブル６が手前に水平に引き出され、図５Ａに示すように、つまみネジ７ａ，７ｂ，８ａ，８ｂが長孔の水平部の手前側の端部に位置する。そして、図５Ｂに示すように、テーブル６が下方に下げられ、つまみネジ７ａ，７ｂ，８ａ，８ｂが長孔の垂直部の下端に位置する。この位置がテーブル６の使用状態であり、つまみネジ７ａ，７ｂ，８ａ，８ｂが締め付けられる。
【００３３】
図５Ｂに示す使用状態のテーブル６に手を置いてミキサー２１のフェーダーエリア２５のフェーダーつまみを前後にスライドさせて例えば８チャンネルのマイク（またはライン）入力信号のレベルを調整することができる。この場合、ＶＵメーター２２，２３を見ることができる。
【００３４】
ミキサー２１の回転つまみおよび表示部エリア２４がラックの奥に位置しているために、このエリア２４のつまみの操作が困難である。しかしながら、ラックにミキサー２１を収納する前にエリア２４の設定を予め行っておくことによって、フェーダーエリア２５のみ操作すれば足りるようにできる。ミキサー２１の引き出す量をより多くして、ミキサー２１の全操作エリアを操作可能としても良い。
【００３５】
＜２．変形例＞
この発明は、上述の実施の形態に限定されるものではなく、この発明の技術的思想に基づく各種の変形が可能である。例えばテーブルを取付け板によって回転自在に支持し、ミキサーをラックから引き出した状態で、テーブルを回転させて収納状態から使用状態に変化させても良い。
【符号の説明】
【００３６】
４・・・トレイ
５ａ，５ｂ・・・取付け板
６・・・テーブル
７ａ，７ｂ，８ａ，８ｂ・・・つまみネジ
９・・・テーブル天板
１０ａ，１０ｂ・・・脚部
１２ａ，１２ｂ・・・長孔
２１・・・ミキサー
２５・・・フェーダーエリア
【図１】
2010267824.tif 000003
【図２】
2010267824.tif 000004
【図３】
2010267824.tif 000005
【図４】
2010267824.tif 000006
【図５】
2010267824.tif 000007
【図６】
2010267824.tif 000008
【図７】
2010267824.tif 000009